(57)【特許請求の範囲】
【請求項１】
上方に開口する有底円筒状のトラップ本体部の底部の偏心位置から上方に向けて内筒部を突設し、該内筒部でトラップ本体部内を内筒部の外側の第１部屋部と内筒部の内側の第２部屋部とに仕切り、第１部屋部にトラップ本体部外への第１出口部を設けると共に第２部屋部にトラップ本体部外への第２出口部を設け、円形の蓋部の偏心位置に第１排水孔と第２排水孔を設け、第２排水孔に連通する垂下筒部を蓋部から下方に向けて垂設し、浴槽が設置される浴槽用床パンの下面側にトラップ本体部を配設し、該トラップ本体部の上端開口に蓋部を被着すると共に、垂下筒部及び内筒部のうち一方を他方に挿入し、該蓋部の第１排水孔及び第２排水孔のうち、一方を浴槽内の水が排水される浴槽用排水孔とすると共に他方を浴槽が設置される浴槽用床パン上の水が排水される床パン用排水孔とし、且つ第１部屋部と第２部屋部が内筒部と垂下筒部の間を介して連通しないように封止手段で封止し、第１部屋部で第１排水孔に連通するトラップ部の一部を構成し、第２部屋部で第２排水孔に連通するトラップ部の一部を構成することを特徴とする浴室の排水構造。
【請求項２】
上記第２排水孔を床パン用排水孔とし、第１排水孔を床パン用排水孔よりも開口面積の大きい浴槽用排水孔とすることを特徴とする請求項１に記載の浴室の排水構造。
【請求項３】
上記垂下筒部を内筒部内に挿入するものであって、該内筒部の内径を垂下筒部の外径よりも大径として、内筒部の内面と垂下筒部の外面との間に蓋部の平面視における位置を微調整するための隙間を形成することを特徴とする請求項１又は請求項２に記載の浴室の排水構造。
【請求項４】
上記内筒部の上端縁を蓋部の下面にパッキンを介して当接し、該パッキンで上記封止手段を構成することを特徴とする請求項３に記載の浴室の排水構造。
【請求項５】
上記トラップ本体部の底部から上方に向けて突出した内筒部の突出長さを、蓋部から下方に向けて突出した垂下筒部の突出長さよりも短くすることを特徴とする請求項１〜３のいずれかに記載の浴室の排水構造。
【発明の詳細な説明】
【技術分野】
【０００１】
本発明は浴槽からの排水と、浴槽を設置している浴槽用床パンからの排水を行う浴室の排水構造に関する。
【背景技術】
【０００２】
ユニットバスルーム等の浴室においては、浴槽からの排水と、浴槽を設置している浴槽用床パンからの排水を行う必要があり、いずれの排水においてもトラップ部により封水して臭気の逆流、虫の侵入等を防止する必要がある。
【０００３】
例えば特許文献１に示す排水構造では、図１２に示すように上端に円形の開口部を備えた容器状のトラップ本体部２３と蓋部３２を備え、蓋部３２をトラップ本体部２３の上端開口に被着して閉塞している。蓋部３２にはその中心に浴槽用排水孔３４を形成してあり、該浴槽用排水孔３４から浴槽内の水をトラップ本体部２３に形成した浴槽排水トラップ部を構成する第１部屋部７０を介して排水できるようにしてある。また蓋部３２の浴槽用排水孔３４の外側には床パン用排水孔３５を形成してあり、該床パン用排水孔３５から浴槽用床パン上の水がトラップ本体部２３に形成した浴槽床パン用排水トラップ部を構成する第２部屋部７１を介して排水できるようにしている。なお特許文献１では、第１部屋部７０と第２部屋部７１を隔壁６２で仕切って夫々を独立した部屋とし、これにより各トラップ部に他のトラップ部の排水時の影響（例えば負圧等により封水が排出されたり、他のトラップ部の排水が流入するなど）が与えられることを防止し、スムーズな排水を実現している。
【０００４】
しかし上記特許文献１の排水構造では、蓋部３２の中心に浴槽用排水孔３４を形成し、その外側に床パン用排水孔３５を形成しているため、浴槽用排水孔３４と床パン用排水孔３５の間隔が小さくなる。このため床パン用排水孔３５と比較して大量の水が排水される浴槽用排水孔３４にあっては、流入した水が第１部屋部７０と第２部屋部７１を仕切る隔壁６２に当たってスムーズな排水を行えない場合がある。
【特許文献１】特開２００５−２８２１２３号公報
【発明の開示】
【発明が解決しようとする課題】
【０００５】
本発明は上記従来の問題点に鑑みて発明したものであって、浴槽用排水孔と床パン用排水孔の間隔を広げて、大量の排水がなされる浴槽用排水孔から流入した水が浴槽排水トラップ部と浴槽床パン用排水トラップ部の仕切りに当たることを防止できて、浴槽用排水孔においてスムーズな排水を行え、尚且つ浴槽用床パン上の所定位置に設置される浴槽の排出口に対応する位置に浴槽用排水孔を容易に配置できて、施工を容易にできる浴室の排水構造を提供することを課題とする。
【課題を解決するための手段】
【０００６】
上記課題を解決するために本発明に係る浴室の排水構造は、上方に開口する有底円筒状のトラップ本体部２３の底部から上方に向けて内筒部２８を突設し、該内筒部２８でトラップ本体部２３内を内筒部２８の外側の第１部屋部７０と内筒部２８の内側の第２部屋部７１とに仕切り、第１部屋部７０にトラップ本体部２３外への第１出口部２７を設けると共に第２部屋部７１にトラップ本体部２３外への第２出口部２９を設け、円形の蓋部３２の偏心位置に第１排水孔３４と第２排水孔３５を設け、第２排水孔３５に連通する垂下筒部３６を蓋部３２から下方に向けて垂設し、浴槽１が設置される浴槽用床パン３の下面側にトラップ本体部２３を配設し、該トラップ本体部２３の上端開口に蓋部３２を被着すると共に、垂下筒部３６及び内筒部２８のうち一方を他方に挿入し、該蓋部３２の第１排水孔３４及び第２排水孔３５のうち、一方を浴槽１内の水が排水される浴槽用排水孔とすると共に他方を浴槽１が設置される浴槽用床パン３上の水が排水される床パン用排水孔とし、且つ第１部屋部７０と第２部屋部７１が内筒部２８と垂下筒部３６の間を介して連通しないように封止手段で封止し、第１部屋部７０で第１排水孔３４に連通するトラップ部２の一部を構成し、第２部屋部７１で第２排水孔３５に連通するトラップ部４の一部を構成することを特徴とする。この排水構造では、第１排水孔３４に流入した水をトラップ部４の一部を構成する第１部屋部７０を介して排出でき、また第２排水孔３５に流入した水をトラップ部２の一部を構成する第２部屋部７１を介して排出でき、各トラップ部２、４で封水して臭気の逆流や虫の侵入等を防止でき、また第１部屋部７０と第２部屋部７１の間は封止手段により封止されるので、各トラップ部２、４を独立した空間にして他のトラップ部の排水の影響を受け難くでき、封水を確実なものとできる。そして本発明では上記のように円形の蓋部３２の偏心位置に第１排水孔３４と第２排水孔３５を設けたので、第１排水孔３４と第２排水孔３５の間隔を大きくでき、これにより第１部屋部７０と第２部屋部７１を仕切る内筒部２８を大量の水が流れる浴槽用排水孔から平面視で離れた位置に設けることができ、この場合、浴槽用排水孔から流入した大量の水が内筒部２８に当たってスムーズな排水を阻害することを防止できる。しかも蓋部３２をトラップ本体部２３の上端開口に被着するにあたって、蓋部３２の偏心位置に設けた垂下筒部３６及びトラップ本体部２３の底部の偏心位置に設けた内筒部２８のうち、一方を他方に挿入するので、トラップ本体部２３の上端開口に対する浴槽側封水筒２５の回転角度位置を決定できて、蓋部３２に形成した第１排水孔３４及び第２排水孔３５を浴槽用床パン３に対する所定の位置に配置できる。従って蓋部３２の垂下筒部３６をトラップ本体部２３の内筒部２８に挿入するだけで、床パン用排水孔を構成する第１排水孔３４と浴槽用床パン３上の所定位置に設置される浴槽１の排水口５１の位置合わせが容易にできる。
【０００７】
また上記第２排水孔３５を床パン用排水孔とし、第１排水孔３４を床パン用排水孔よりも開口面積の大きい浴槽用排水孔とすることも好ましい。床パン用排水孔を構成する第２排水孔３５に対応する内筒部２８の径を小さくでき、浴槽用排水孔を構成する第１排水孔３４から流入した大量の水が内筒部２８に一層当たり難くなる。
【０００８】
また上記垂下筒部３６を内筒部２８内に挿入するものであって、該内筒部２８の内径を垂下筒部３６の外径よりも大径として、内筒部２８の内面と垂下筒部３６の外面との間に蓋部３２の平面視における位置を微調整するための隙間Ｓを形成することも好ましい。隙間Ｓで許容する範囲内において蓋部３２を浴槽側トラップ本体部２３の上端開口に対して周方向に回動する微調整を行うことができ、これにより浴槽用床パン３に浴槽１が若干位置ずれした状態で設置された場合にも、浴槽１の排出口５１に第１排水孔３４の位置を合わせることができる。
【０００９】
また上記内筒部２８の上端縁を蓋部３２の下面にパッキン４０を介して当接し、該パッキン４０で上記封止手段を構成することも好ましい。内筒部２８と垂下筒部３６の間に封止手段としてパッキンを介在させることも考えられるが、この場合、上記蓋部３２の微調整の際にパッキンが邪魔になるし、またこのパッキンでは確実な封止ができない。つまり本発明では上記のように内筒部２８の上端縁を蓋部３２の下面にパッキン４０を介して当接することで、蓋部３２を内筒部２８よりも上方に浮かして垂下筒部３６を内筒部２８に挿入した状態、即ち内筒部２８の上端縁を蓋部３２の下面にパッキン４０を介して当接する直前の状態で、上記蓋部３２の微調整を行え、この微調整が容易になると共にこのパッキン４０で第１部屋部７０と第２部屋部７１の間を確実に封止できる。
【００１０】
また上記トラップ本体部２３の底部から上方に向けて突出した内筒部２８の突出長さを、蓋部３２から下方に向けて突出した垂下筒部３６の突出長さよりも短くすることも好ましい。浴槽側トラップ本体部２３を浴槽用床パン３に取り付ける際に内筒部２８が邪魔にならず、浴槽側トラップ本体部２３の施工が容易になる。
【発明の効果】
【００１１】
本発明では、第１部屋部と第２部屋部を仕切る内筒部を大量の水が流れる浴槽用排水孔から平面視で離れた位置に設けることができ、浴槽用排水孔から流入した大量の水が内筒部に当たって排水を阻害することを防止できる。しかも蓋部をトラップ本体部の上端開口に被着するにあたって、トラップ本体部の円形の上端開口に対する浴槽側封水筒の回転角度位置を決定できて、蓋部に形成した第１排水孔及び第２排水孔を浴槽用床パンに対して所定の位置に配置でき、蓋部の垂下筒部をトラップ本体部の内筒部に挿入するだけで、床パン用排水孔を構成する第１排水孔と浴槽用床パン上の所定位置に設置される浴槽の排水口の位置合わせが容易にできる。
【発明を実施するための最良の形態】
【００１２】
以下、本発明を添付図面に示す実施形態に基づいて説明する。浴室を構成する浴室ユニットＡは、浴槽１を設置する浴槽用床パン３と洗い場用床パン５とで構成される床パンの周囲に、壁パネル及びドアを有する出入り口枠とを立設し、壁パネル及び出入り口枠で囲まれた部分の上端部に天井パネルを配設して構成してある。
【００１３】
浴室ユニットＡからの排水は、浴槽１からの湯水の排水、浴槽１を設置する浴槽用床パン３からの湯水の排水、洗い場用床パン５からの湯水の排水の３種類の排水があり、本例においては、この３種類の排水がそれぞれ流れる３種類のトラップ、つまり、浴槽１からの排水が流れる浴槽排水トラップ部２と、浴槽１を設置する浴槽用床パン３からの排水が流れる浴槽床パン用排水トラップ部４と、洗い場用床パン５からの排水が流れる洗い場排水トラップ部６とを備えている。
【００１４】
添付図面に示す実施形態においては、以下に説明するトラップ装置２２に浴槽排水トラップ部２と、浴槽床パン用排水トラップ部４と、洗い場排水トラップ部６が設けてある。
【００１５】
トラップ装置２２は図２、図３に示すように、浴槽側トラップ本体部２３と、浴槽側固定用上筒２４と、浴槽側封水筒２５と、洗い場側トラップ本体部１６と、本体蓋４３と、洗い場側固定用上筒１５と、洗い場側封水筒１７とで構成してある。
【００１６】
浴槽側トラップ本体部２３は図７に示すように浴槽排水トラップ部２の主体となるものであり、上方が開口した有底円筒状をしている。浴槽側トラップ本体部２３の円形の上端開口の外周にはフランジ部２６を一体に設けてあり、また浴槽側トラップ本体部２３の内周上端部には雌ねじ部を形成している。浴槽側トラップ本体部２３の底部の中心から偏心した位置には内筒部２８を上方に向けて一体に突設してあり、該内筒部２８で浴槽側トラップ本体部２３内を内筒部２８の外側の第１部屋部７０と内筒部２８の内側の第２部屋部７１とに仕切っている。第１部屋部７０を形成する浴槽側トラップ本体部２３の側壁には浴槽側トラップ本体部２３内と連通する筒状の第１出口部２７を浴槽側トラップ本体部２３の外方に向けて横向きに一体に突設している。また第２部屋部７１を形成する内筒部２８の下端部には筒状の第２出口部２９の一端を連通接続してあり、該第２出口部２９の他端側は浴槽側トラップ本体部２３の底部に沿って浴槽側トラップ本体部２３の側壁を貫通して浴槽側トラップ本体部２３の外方に向けて横方向に一体に突設してある。第２出口部２９の浴槽側トラップ本体部２３の底部に沿った部分においては図２に示すように該浴槽側トラップ本体部２３の底部が第２出口部２９の底部を兼用している。また、浴槽側トラップ本体部２３の底部には周方向に複数の突起部５３が上方に向けて突設してあり、各突起部５３の上面と第２出口部２９の上記浴槽側トラップ本体部２３の底部に沿った部分の上面とは同一レベルとなっている。
【００１７】
浴槽側固定用上筒２４は上端にフランジ部３０を一体に設けてあると共に外周部に雄ねじ部を設けてある。浴槽側固定用上筒２４は浴槽用床パン３に設けた孔３１に上方から挿入し、浴槽用床パン３の下面側において上開口が上記孔３１と連通するように配置した浴槽側トラップ本体部２３の内周上端部の雌ねじ部に螺合して、浴槽用床パン３を上下からフランジ部３０、２６で挟着することで、図１に示すように浴槽用床パン３に浴槽側トラップ本体部２３と浴槽側固定用上筒２４とを固着するようになっている。
【００１８】
浴槽側封水筒２５は図８に示すように下方に開口すると共に上端を蓋部３２で閉塞した有蓋円筒状に形成してあり、蓋部３２を含めた上端部が下部よりも外径が大きいはめ込み部２５ａとなり、はめ込み部２５ａの外周にはパッキン３３を設けている。浴槽側封水筒２５の円形の蓋部３２には蓋部３２の中心から偏心した位置に第１排水孔３４と第２排水孔３５を設けている。第１排水孔３４及び第２排水孔３５は径は異なるが共に円形となり、蓋部３２の中心を挟んで周方向に１８０°離れた位置に形成され、本例では前記第２排水孔３５を浴槽１が設置される浴槽用床パン３上の水が排水される床パン用排水孔とし、第２排水孔３５よりも径が大きくて開口面積の大きい第１排水孔３４を浴槽用排水孔としている。また蓋部３２からは上端が第２排水孔３５に連通する円管状の垂下筒部３６を下方に向けて一体に垂設してあり、該垂下筒部３６の内周面は第２排水孔３５の内周面と面一に連続している。なお前述の内筒部２８の内径は垂下筒部３６の外径よりも大径としてある。
【００１９】
浴槽側封水筒２５は上記浴槽側固定用上筒２４に上方から差し込まれて蓋部３２を含むはめ込み部２５ａに設けたパッキン３３が浴槽側固定用上筒２４の内周面に圧接されることで気密的にはめ込まれて被着される。この場合、図２に示すように浴槽側封水筒２５の下端が各突起部５３の上面と第２出口部２９の浴槽側トラップ本体部２３の底部に沿った部分の上面とに当たるまで浴槽側封水筒２５を押し込むことで、確実に浴槽側封水筒２５の下端の位置決めができて一定の封水高さを確保できる。従って、浴槽側封水筒２５の取り付けに当たって浴槽側固定用上筒２４に螺合により取り付けるものは螺合深さの違いにより封水高さが異なるので、この封水高さのばらつきがあっても、法律で定められている封水高さ（５ｃｍ）を確保できるように、浴槽側封水筒２５の長さを予め余裕を持たせて一定長さ余分に長いものとしなければならない場合に比べ、浴槽側封水筒２５の長さを短くしても法律で定められている封水高さ（５ｃｍ）を確保でき、従って、装置の高さを低く抑えることができて薄型化がはかれる。
【００２０】
上記のように浴槽側封水筒２５の蓋部３２を含めた上端部を浴槽側固定用上筒２４に気密的にはめ込むことで、浴槽側封水筒２５の下端と浴槽側トラップ本体部２３の底部との間に、浴槽側封水筒２５の内部である第１部屋部７０と、浴槽側トラップ本体部２３の内面と浴槽側封水筒２５の外面との間の隙間３７とを連通する連通部３８が形成してあり、第１排水孔３４、第１部屋部７０、連通部３８、第１出口部２６が連通している。なお第１部屋部７０は平面視で第１排水孔３４よりも大きい空間となっており、第１排水孔３４より流入した水が内筒部２８に直接当たらないように内筒部２８は平面視で第１排水孔から離れた位置に設けてある。
【００２１】
また、浴槽側封水筒２５を浴槽側固定用上筒２４に気密的にはめ込んだ状態で、浴槽側封水筒２５の蓋部３２から垂下した垂下筒部３６が内筒部２８に挿入されてはめ込まれ、内筒部２８の上端と蓋部３２の下面との間に封止手段を構成するパッキン４０が介在されて気密的に接続され、第２排水孔３５、垂下筒部３６、内筒部２８、第２出口部２９が連通している。また前記パッキン４０により第１部屋部７０と第２部屋部７１の間が内筒部２８の外面と垂下筒部３６の内面の間を介して連通しないように封止され、これにより第１部屋部７０と第２部屋部７１は独立した空間となる。
【００２２】
洗い場側トラップ本体部１６は図９に示すように上方が開口した有底円筒状をしており、この洗い場側トラップ本体部１６の下部に外周部の片側半分に沿って略Ｌ型筒状をした接続部２０の立ち上がり筒部２０ａが一体に設けてあり、この立ち上がり筒部２０ａは上方ほど断面積が大きくなっており、この立ち上がり筒部２０ａの上開口に連通するように洗い場側トラップ本体部１６の上部外周部の片側半分に沿って第１排水路７が一体に形成してある。
【００２３】
また、洗い場側トラップ本体部１６の上部外周部の他方の片側半部に沿って洗い場側トラップ本体部１６と連通する上方が開口した溝状をした第３排水路９が一体に形成してあり、第３排水路９の外側に更に上方が開口する溝状の第２排水路８が一体に形成してあり、上記第１排水路７、第２排水路８、第３排水路９は略同じレベルで横方向に並設してある。第１排水路７、第２排水路８、第３排水路９の下流側端部は一箇所に集まって洗い場側トラップ本体部１６に一端部に設けた合流部１０において合流している。
【００２４】
溝状をした第１排水路７、第２排水路８、第３排水路９を一体に形成した有底筒状をした洗い場側トラップ本体部１６の上端部には図１０に示すような本体蓋４３が取着され、溝状をした第１排水路７、第２排水路８、第３排水路９の上開口が閉じられ、本体蓋４３に設けた孔４４が有底円筒状の洗い場側トラップ本体部１６の上開口と連通している。
【００２５】
また、第２排水路８の上流側端の下面部に略Ｌ型筒状をした接続部２１の立ち上がり筒部２１ａが第２排水路８に連通するように一体形成してある。
【００２６】
上記接続部２０の横筒部が前述の浴槽側トラップ本体部２３から横方向に突設した第１出口部２７に連通接続してあり、また、接続部２１が浴槽側トラップ本体部２３から横方向に突設した第１出口部２７に連通接続してある。
【００２７】
接続部２０の上端である第１排水路７との連通部分のレベルは突起部５３の上面と第２出口部２９の浴槽側トラップ本体部２３の底部に沿った部分の上面とに当接して位置決めされる浴槽側封水筒２５の下端から一定高さ高い（つまり、法律で定められた封水高さである５ｃｍ、又は５ｃｍよりも僅かに高い）レベルとなっている。従って、浴槽側封水筒２５の下端と浴槽側トラップ本体部２３の底部との間の連通部３８を介して浴槽側封水筒２５の内外に連通する封水のための水溜まりが形成されることで浴槽排水トラップ部２が構成され、つまりこの場合、第１部屋部７０で浴槽排水トラップ部２の一部が構成される。
【００２８】
また、接続部２１の上端である第２排水路８との連通部分のレベルは垂下筒部３６の下端部の第２出口部２９との連通部分から一定の高さ一定高さ高い（つまり、法律で定められた封水高さである５ｃｍ、又は５ｃｍよりも僅かに高い）レベルとなっている。従って、第２出口部２９を最下端として内筒部２８、第２出口部２９、Ｌ型筒状をした接続部２０にわたって封水のための水溜まりが形成されることで浴槽床パン用排水トラップ部４が構成され、つまりこの場合、第２部屋部７１で浴槽床パン用排水トラップ部４の一部が構成される。
【００２９】
また、上記第１排水路７、第２排水路８、第３排水路９の各下流側端がそれぞれ出口部１２、１３、１４となっていて３つの出口部１２、１３、１４が一箇所に集まって筒状をした合流部１０に開口して連通している。この合流部１０には排水管１１が接続される。なお、図示例では筒状の合流部１０内に排水管１１の上流側端部がはめ込み接続されるので排水管１１の端部が実質的な排水の合流部分となる。つまり、３つの出口部１２、１３、１４が一箇所の合流部１０で合流して該合流部１０が排水管１１との接続部を兼用している。
【００３０】
各出口部１２、１３、１４から合流部１０への排水の排出方向が略平行となっている。また、横に並んだ３つの出口部１２、１３、１４の配列は、第３排水路９の出口部１４の横方向の一側に第１排水路７の出口部１２が横方向並設しており、第３排水路９の出口部１４の横方向の他側に第２排水路８の出口部１３が横方向に並設している。更に、第１排水路７の下端と第２排水路８の出口部１３の下端は、第３排水路９の出口部１４の下端よりも上方に位置しており、第１排水路７の出口部１２の下端及び第２排水路８の出口部１３の下端と合流部１０の底部との間には段部３９が設けてある。また、洗い場側トラップ本体部１６の底部には上方に向けて突起部４５が設けてある。
【００３１】
また洗い場側固定用上筒１５は上端にフランジ部４６を一体に設けてあると共に外周部に雄ねじ部を設けてある。洗い場側固定用上筒１５は洗い場用床パン５に設けた孔４７に上方から挿入し、洗い場用床パン５の下面側に本体蓋４３を配置して孔４４と上記孔４７とを連通させた状態で孔４４の内周の雌ねじ部に螺合することで、図１に示すように洗い場用床パン５を上下からフランジ部４６と本体蓋４３とで挟着して、洗い場用床パン５に洗い場側トラップ本体部１６と洗い場側固定用上筒１５とを固着するようになっている。
【００３２】
洗い場側封水筒１７は上端部が下部よりも外径が大きいはめ込み部１７ａとなっており、はめ込み部１７ａの外周にはパッキン４８が設けてあり、洗い場側封水筒１７の上端が洗い場用排水孔５０となっている。
【００３３】
洗い場側封水筒１７は上記洗い場側固定用上筒１５に上方から差し込まれてはめ込み部１７ａに設けたパッキン４８が洗い場側固定用上筒１５の内周面に圧接されることで気密的はめ込まれる。この場合、洗い場側封水筒１７はその下端が突起部４５の上面に当たるまで洗い場側封水筒１７を押し込まれる。
【００３４】
上記のように洗い場側封水筒１７を洗い場側固定用上筒１５に気密的にはめ込むことで、洗い場側封水筒１７の下端と洗い場側トラップ本体部１６の底部との間に、洗い場側封水筒１７の内部と、洗い場側トラップ本体部１６の内面と洗い場側封水筒１７の外面との間の隙間１８とを連通する連通部１９が形成され、洗い場用排水孔５０、洗い場側封水筒１７の内部、連通部１９、隙間１８が連通する。上記隙間１８の上端は第３排水路９と連通しており、突起部４５に載置することで位置決めされた洗い場側封水筒１７の下端から上記隙間１８と第３排水路９との連通部分の最下端（つまり隙間１８と第３排水路９との間の仕切り壁１６ａの上端）までの上下長さが封水高さとなっており、その封水高さは法律で定められた封水高さである５ｃｍ、又は５ｃｍよりも僅かに高い長さとしてある。従って、連通部１９を介して洗い場側封水筒１７の内外に連通する封水のための水溜まりが形成されることで洗い場排水トラップ部６が構成される。
【００３５】
第３排水路９の上流側は有底筒状をした洗い場側トラップ本体部１６との間の仕切り壁１６ａの上端よりも低くなっており、更に、上流側と下流側との間に段差１６ｂが形成してあって下流側は上流側より更に低くなっている。
【００３６】
浴槽１は浴槽用床パン３に載置するものであり、この場合、浴槽１の底面部に設けた排水口５１の下端部の筒部をシール部材５２を介して浴槽側封水筒２５の上端の蓋部３２に設けた第１排水孔３４にはめ込む。
【００３７】
上記のような排水構造において、浴槽１からの排水が最も排水量が多く、その次に排水量が多いのは洗い場用床パン５からの排水であり、浴槽用床パン３からの排水量は最も少ない。つまり、浴槽用床パン３には、浴槽１の上フランジと壁パネルとのシール部分が破れて浸入した水や、洗い場用床パン５側から洗い場用床パン５と浴槽用床パン３との境界部分の堤部５４を越えて浴槽用床パン３に浸入した水が排水されるため、排水量が、浴槽１や洗い場用床パン５からの排水に比べると少ないのである。
【００３８】
浴槽１の排水は浴槽排水トラップ部２から第１排水路７に流れ、第１排水路７の下流側端部の出口部１２から合流部１０に流れて排水管１１へと流れ出る。洗い場用床パン５の排水は洗い場排水トラップ部６から第３排水路９に流れ、第３排水路９の下流側端部の出口部１４から合流部１０に流れて排水管１１へと流れ出る。また、浴槽用床パン３の排水は浴槽床パン用排水トラップ部４から第２排水路８に流れ、第２排水路８の下流側端部の出口部１３から合流部１０に流れて排水管１１へと流れ出る。
【００３９】
この場合、浴槽１の排水、洗い場用床パン５の排水、浴槽用床パン３の排水という３つの異なる排水が、それぞれ浴槽排水トラップ部２、浴槽床パン用排水トラップ部４、洗い場排水トラップ部６で個別に封水することで異なる３箇所における排水箇所の封水を確実に行うことができることになる。また、浴槽排水トラップ部２、浴槽床パン用排水トラップ部４、洗い場排水トラップ部６からそれぞれ個別の排水路である第１、第２、第３排水路８に個別に排水し、上記３つの個別の排水路を流れる排水を一箇所の合流部１０で合流させるので、浴槽からの排水、浴槽用床パン３からの排水、洗い場用床パンからの排水をいずれも圧力損失を少なくしてスムーズに排水でき、しかも、浴槽排水トラップ部２から流れる浴槽１からの多量の排水が浴槽用床パン３側、洗い場用床パン５側に逆流し難いものとなる。
【００４０】
以上説明したように本発明にあっては、円形の蓋部３２の偏心位置に第１排水孔３４と第２排水孔３５を設けたので、第１排水孔３４と第２排水孔３５の間隔を大きくでき、これにより本例のように第１部屋部７０と第２部屋部７１を仕切る内筒部２８を大量の水が流れる浴槽用排水孔を構成する第１排水孔３４から平面視で離れた位置に設けることができ、この場合、第１排水孔３４から流入した大量の水が内筒部２８に当たって排水を阻害することを防止できる。
【００４１】
しかも浴槽側封水筒２５を浴槽側固定用上筒２４にはめ込むにあたって、蓋部３２の偏心位置に設けた垂下筒部３６を浴槽側トラップ本体部２３の底部の偏心位置に設けた内筒部２８に挿入して嵌め込むので、浴槽側トラップ本体部２３の上端開口に対する浴槽側封水筒２５の回転角度を一義的に決定できる。従って蓋部３２に形成した第１排水孔３４及び第２排水孔３５を浴槽用床パン３に対する所定の位置に配置でき、つまり浴槽側封水筒２５を浴槽側固定用上筒２４にはめ込むにあたって、蓋部３２の垂下筒部３６を浴槽側トラップ本体部２３の内筒部２８に挿入するだけで、床パン用排水孔を構成する第１排水孔３４と浴槽用床パン３上の所定位置に設置される浴槽１の排水口５１の位置合わせが容易にできる。
【００４２】
さらに本例では、内筒部２８の内径は垂下筒部３６の外径よりも若干大径としてあるので、浴槽側封水筒２５を浴槽側固定用上筒２４にはめ込むにあたって、前記垂下筒部３６を内筒部２８に挿入した状態では、内筒部２８の内面と垂下筒部３６の外面との間に隙間Ｓが形成される。つまりこの状態では垂下筒部３６を内筒部２８内に遊嵌した状態となり、垂下筒部３６を内筒部２８内において水平方向に移動して微調整が行える。従って浴槽側封水筒２５を前記隙間Ｓで許容する範囲内において浴槽側トラップ本体部２３の上端開口に対して周方向に若干回動でき、これにより浴槽用床パン３に浴槽１が若干位置ずれした状態で設置された場合にも、該浴槽１の排出口５１に第１排水孔３４の位置を合わせることができる。
【００４３】
なお本例では第１排水孔３４を浴槽用排水孔とし、内筒部２８が設けられる第２排水孔３５を床パン用排水孔としたが、第１排水孔３４を床パン用排水孔とし、内筒部２８を設けた第２排水孔３５を浴槽用排水孔としても良い。また本例では垂下筒部３６を内筒部２８内に挿入したが、逆に内筒部２８を垂下筒部３６内に挿入しても良い。また本例では内筒部２８の上端縁を蓋部３２の下面にパッキン４０を介して当接したが、内筒部２８と垂下筒部３６の間にパッキンを介在させても良い。
【００４４】
さらには上記例では浴槽側トラップ本体部２３の底部から上方に向けて突出した内筒部２８の突出長さを、蓋部３２から下方に向けて突出した垂下筒部３６の突出長さよりも長くしたが、逆に図１１に示すように内筒部２８の突出長さを垂下筒部３６の突出長さよりも短くしても良く、この場合は浴槽側トラップ本体部２３を浴槽用床パン３に取り付ける際に内筒部２８が邪魔にならず、浴槽側トラップ本体部２３の施工が容易になる。なお図１１では内筒部２８と垂下筒部３６の間に封止手段としてのパッキンを介在させるものとする。
【図面の簡単な説明】
【００４５】
【図１】本発明の浴室の排水構造の断面図である。
【図２】同上に用いるトラップ装置の断面図である。
【図３】同上のトラップ装置において、洗い場側封水筒を省略した状態の斜視図である。
【図４】同上のトラップ装置において浴槽側固定用上筒、浴槽側封水筒、本体蓋、洗い場側固定用上筒、洗い場側封水筒を省略した状態の斜視図である。
【図５】同上のトラップ装置において浴槽側固定用上筒、浴槽側封水筒、本体蓋、洗い場側固定用上筒、洗い場側封水筒を省略した状態の平面図である。
【図６】同上のトラップ装置の下流側から見た正面図である。
【図７】同上に用いる浴槽側トラップ本体を示し、（ａ）は斜視図であり、（ｂ）は平面図であり、（ｃ）は正面図であり、（ｄ）は側面図である。
【図８】同上に用いる浴槽側封水筒の斜視図である。
【図９】同上に用いる洗い場側トラップ本体部を示し、（ａ）は斜視図であり、（ｂ）は平面図であり、（ｃ）は正面図であり、（ｄ）は側面図である。
【図１０】同上に用いる本体蓋の斜視図である。
【図１１】他例の浴室の排水構造の断面図である。
【図１２】従来例の平面図である。
【符号の説明】
【００４６】
Ｓ  隙間
１  浴槽
２  浴槽排水トラップ部
４  浴槽床パン用排水トラップ部
２３  浴槽側トラップ本体部
２７  第１出口部
２８  内筒部
２９  第２出口部
３２  蓋部
３４  第１排水孔
３５  第２排水孔
３６  垂下筒部
４０  パッキン
７０  第１部屋部
７１  第２部屋部
【図１】
0004539601.tif 000002
【図２】
0004539601.tif 000003
【図３】
0004539601.tif 000004
【図４】
0004539601.tif 000005
【図５】
0004539601.tif 000006
【図６】
0004539601.tif 000007
【図７】
0004539601.tif 000008
【図８】
0004539601.tif 000009
【図９】
0004539601.tif 000010
【図１０】
0004539601.tif 000011
【図１１】
0004539601.tif 000012
【図１２】
0004539601.tif 000013